(57)【特許請求の範囲】
【請求項１】
発光中心波長が互いに異なる複数種類のＬＥＤ素子を具備し、波長２９０〜３２０ｎｍの範囲の連続スペクトル光および波長３２０〜４００ｎｍの範囲の連続スペクトル光の少なくとも一方の連続スペクトル光を出射する光源部と、当該光源部を構成する当該複数種類のＬＥＤ素子の各々の駆動を独立して制御する制御機構を有する駆動部とを備え、
前記光源部を構成する前記複数種類のＬＥＤ素子は、少なくとも、１種類のＬＥＤ素子が波長２９０〜３２０ｎｍの範囲に発光中心波長を有し、他の１種類のＬＥＤ素子が波長３２０〜４００ｎｍの範囲に発光中心波長を有しており、
前記光源部を構成する前記複数種類のＬＥＤ素子において、発光中心波長が互いに近接する２種類のＬＥＤ素子の発光中心波長間隔が１０〜２０ｎｍであり、
前記光源部からの出射光が、人の皮膚における照射部位に照射されることを特徴とする紫外線感応度測定用紫外線照射器。
【請求項２】
発光中心波長が互いに異なる複数種類のＬＥＤ素子を具備し、波長２９０〜３２０ｎｍの範囲の連続スペクトル光および波長３２０〜４００ｎｍの範囲の連続スペクトル光の少なくとも一方の連続スペクトル光を出射する光源部と、当該光源部を構成する当該複数種類のＬＥＤ素子の各々の駆動を独立して制御する制御機構を有する駆動部とを備え、
基準太陽光の相対エネルギー分布に対する、前記光源部からの出射光の相対エネルギー分布の比であるスペクトル合致度が、７５〜１２５％であり、
前記光源部からの出射光が、人の皮膚における照射部位に照射されることを特徴とする紫外線感応度測定用紫外線照射器。
【請求項３】
前記光源部から波長２９０〜４００ｎｍの範囲の連続スペクトル光が出射されることを特徴とする請求項１または請求項２に記載の紫外線感応度測定用紫外線照射器。
【請求項４】
前記光源部を構成する複数種類のＬＥＤ素子は、波長３１０ｎｍに発光中心波長を有するＬＥＤ素子、波長３２５ｎｍに発光中心波長を有するＬＥＤ素子、波長３４０ｎｍに発光中心波長を有するＬＥＤ素子、波長３５５ｎｍに発光中心波長を有するＬＥＤ素子、波長３６５ｎｍに発光中心波長を有するＬＥＤ素子、波長３７５ｎｍに発光中心波長を有するＬＥＤ素子、波長３８５ｎｍに発光中心波長を有するＬＥＤ素子および波長３９５ｎｍに発光中心波長を有するＬＥＤ素子の少なくとも８種類のＬＥＤ素子であることを特徴とする請求項１乃至請求項３のいずれかに記載の紫外線感応度測定用紫外線照射器。
【請求項５】
前記制御機構は、前記光源部を構成する前記複数種類のＬＥＤ素子の各々の出力を独立に制御することによって当該光源部からの出射光の光強度を調整する出力制御機能を有していることを特徴とする請求項１乃至請求項４のいずれかに記載の紫外線感応度測定用紫外線照射器。
【請求項６】
前記光源部は、給電線が絶縁材によって被覆されてなるフレキシブルケーブルにより、前記駆動部に対して可動自在に機械的および電気的に接続されていることを特徴とする請求項１乃至請求項５のいずれかに記載の紫外線感応度測定用紫外線照射器。
【請求項７】
前記光源部の光出射方向前方に、紫外線遮断材料よりなり、当該光源部からの出射光の光路を包囲するように配置された光出射開口用枠状部材が設けられていることを特徴とする請求項１乃至請求項６のいずれかに記載の紫外線感応度測定用紫外線照射器。
【請求項８】
前記光出射開口用枠状部材に可視光透過性領域が形成されていることを特徴とする請求項７に記載の紫外線感応度測定用紫外線照射器。
【発明の詳細な説明】
【技術分野】
【０００１】
本発明は、光線過敏症の検査に用いられる紫外線感応度測定用紫外線照射器に関し、更に詳しくは、最少紅斑量および日光曝露許容時間などの判定に用いられる紫外線感応度測定用紫外線照射器に関する。
【背景技術】
【０００２】
光線過敏症とは、健常人では何ら変化を起こさないような光線、具体的には例えば太陽光の照射により、異常な皮膚反応が生じて紅斑などの皮膚症状が発生する疾患群を示すものである。この光線過敏症は、様々な病因によって発症するものであり、その病因によって、例えば遺伝性光線過敏症、代謝性光線過敏症、光アレルギー性光線過敏症および光毒性光線過敏症などに分類される。
光線過敏症を発症する疾患としては、例えば色素性乾皮症、骨髄性プロトポルフィリン症、種痘様水泡症、多形日光疹、光接触皮膚炎、日光蕁麻疹、光線過敏型薬疹、ポルフィリン症および慢性光線性皮膚炎などが挙げられる。
この光線過敏症は、一般的に、最少紅斑量（ＭＥＤ；Minimal Erythema Dose）、すなわち紅斑を生じさせる最少紫外線量を判定し、その最少紅斑量に基づいて発症が確認される。
【０００３】
このような光線過敏症に対しては、現在のところ有効な治療法が確立されていないことから、日常生活における遮光の重要性はいわずもがなであるが、それと同時に、患者自身が季節（夏、冬）、時間帯（朝、昼、夜）、天気（晴、曇り、雨）、地域（北、南）および標高（低地、高地）などの紫外線量変動要因に応じた日光曝露許容時間を、検査によって把握することが極めて重要である。
【０００４】
紫外線量変動要因に応じた日光曝露許容時間を検査によって把握することが極めて重要である理由について以下に説明する。
地表に到達する太陽光に含まれる紫外線の強度は波長によって異なり、また紫外線の人体への影響度も波長によって異なっている。
紫外線の波長毎の人体への相対影響度の指標としては、波長別紫外線強度とＣＩＥ作用スペクトルとに基づいて算出される紅斑紫外線量が知られている。ここに、「ＣＩＥ作用スペクトル」とは、国際照明委員会（ＣＩＥ）によって定められたものであり、紫外線が人の皮膚に紅斑を引き起こす作用曲線である。また、「紅斑紫外線量」は、波長別紫外線強度にＣＩＥ作用スペクトルを乗じることによって得られる紅斑紫外線強度を、波長積分することによって得られる値である。
紅斑紫外線量は、季節によって変動し、北半球においては、７〜８月にピークを示し、１２〜１月に向かって減少するサイクルを有しており、例えば、那覇では、７月の紅斑紫外線量は、１月の紅斑紫外線量に比して約３倍の値となる。また、紅斑紫外線量は、地域によっても異なり、例えば那覇の紅斑紫外線量は、各季節において、札幌の紅斑紫外線量に比して、１．５倍程度の値となる。
また、地上に到達する紫外線量のレベルを示す指標としては、ＷＨＯ（世界保健機関）、ＷＭＯ（世界気象機関）およびＵＮＥＰ（国連環境計画）などが共同開発したＵＶインデックスが知られている。この「ＵＶインデックス」は、地上に到達する紫外線量のレベルを日常において使用しやすい簡単な数値によって示すために定められたものであり、紅斑紫外線量を２５ｍＷ／ｍ2 で除することによって得られる値である。
ＵＶインデックスは、時間帯によって異なり、例えば札幌、つくば、鹿児島および那覇の国内４地点においては、昼間（１２〜１４時）のＵＶインデックスは、朝（８時）のＵＶインデックスに比して８〜１０倍の値となる。また、ＵＶインデックスは、天気、具体的には主に雲の状態によっても異なり、快晴の場合のＵＶインデックスは、雨の場合のＵＶインデックスに比して３倍の値となる。
また、地上に到達する紫外線量は、標高が高くなるに従って増加、具体的には、標高が１０００ｍ高くなると約１０％高くなることから、紅斑紫外線量およびＵＶインデックスは、いずれも、標高によって異なるものとなる。
このように、紅斑紫外線量およびＵＶインデックスが、季節、時間帯、天気、地域および標高などの紫外線量変動要因によって大きく異なり、最も紫外線量（放射照度）が大きいとされる環境下の紫外線量は、最も紫外線量が小さいとされる環境下の紫外線量の１００倍程度となる。而して、患者の個人差を考慮すると、紫外線量変動要因に応じた日光曝露許容時間を、机上計算によって把握することは極めて困難であり、かつ危険である。
【０００５】
現在、最少紅斑量を判定するための紫外線光源としては、光治療において一般的に用いられている紫外線照射器が用いられている。具体的には、波長２９０〜３２０ｎｍのＵＶＢ領域（中波長紫外線領域）の紫外線に係る最少紅斑量を判定するためのＵＶＢ照射テストには、ブロードバンドＵＶＢランプを備えた紫外線照射器などが用いられており、また波長３２０〜４００ｎｍのＵＶＡ領域（長波長紫外線）の紫外線に係る最少紅斑量を判定するためのＵＶＡ照射テストには、ブロードバンドＵＶＡランプを備えた紫外線照射器などが用いられている。
しかしながら、これらのランプを備えた紫外線照射器は、出射光が太陽光のスペクトルとは異なるスペクトルを有するものであることから、最少紅斑量の判定に用いた場合には、光線過敏症を見逃す可能性があり、また日光曝露許容時間（定量値）の判定には用いることができない。
【０００６】
一方、ソーラシミュレータ（擬似太陽光照射装置）としては、一般的に、放電ランプ、具体的には、短波長域から長波長域までの連続光を放射するキセノンランプと、エアマスフィルタなどの波長選択フィルタ（減光フィルタ）とを備えたものが知られている。このソーラシミュレータは、キセノンランプからの放射光の赤外波長域の光を、波長選択フィルタによってカットすることにより、太陽光に近似した擬似太陽光を得るものである。
このような放電ランプを備えたソーラシミュレータは、大変高価であり、また煩雑なメンテナンスを必要とするものであることから、クリニック等において最少紅斑量を判定するための紫外線光源として用いることは、コストおよびメンテナンス性の観点から、普及性が懸念される。また、波長選択フィルタを備える必要があることから、波長選択フィルタが反射系フィルタである場合には、反射光が照射される部材の冷却機構が必要され、また、波長選択フィルタが吸収系フィルタである場合には、当該吸収系フィルタを冷却するための冷却機構が必要とされるため、装置が大型のものとなる。その結果、クリニック等において装置の配置位置を確保することが容易ではなくなる。
しかも、放電ランプを備えたソーラシミュレータは、紫外線量（放射照度）を大きく変化させることができないものであるため、紫外線量変動要因に応じた日光曝露許容時間の判定に用いることはできない。
具体的に説明すると、ソーラシミュレータにおいては、放電ランプの出力可能範囲は、一般的に５０〜８０％であり、また高放射照度を得るためには、波長選択フィルタ（反射系フィルタ）の反射光が照射される部材、または、波長選択フィルタ（吸収系フィルタ）を冷却するための大掛かりな冷却機構が必要とされる。そのため、放電ランプを備えたソーラシミュレータを、紫外線量変動要因に応じた日光曝露許容時間を判定するために必要とされる紫外線量変動能、すなわち紫外線量（放射照度）の最大値を、紫外線量（放射照度）の最小値の１００倍程度とする可変性能を有するものとすることは、実際上不可能である。
【０００７】
また、ソーラシミュレータとしては、放電ランプに代えてＬＥＤランプを備えたものが提案されている（例えば、特許文献１および特許文献２参照。）。しかしながら、これらのソーラシミュレータは、紫外域から赤外域にわたる広い波長範囲の光を出射する大型のものであり、よって光線過敏症の検査に好適に用いることのできるものではない。
【先行技術文献】
【特許文献】
【０００８】
【特許文献１】特許第５２５６５２１号公報
【特許文献２】特開２０１２−２２１８３８号公報
【発明の概要】
【発明が解決しようとする課題】
【０００９】
而して、本発明は、本発明者らが、以上のような事情に基づいて、紫外線感応度測定の紫外線光源について鋭意研究を重ねた結果、見出されたものであり、その目的は、紫外線感応度測定を高い信頼性によって行うことのできる小型の紫外線感応度測定用紫外線照射器を提供することにある。
【課題を解決するための手段】
【００１０】
本発明の紫外線感応度測定用紫外線照射器は、発光中心波長が互いに異なる複数種類のＬＥＤ素子を具備し、波長２９０〜３２０ｎｍの範囲の連続スペクトル光および波長３２０〜４００ｎｍの範囲の連続スペクトル光の少なくとも一方の連続スペクトル光を出射する光源部と、当該光源部を構成する当該複数種類のＬＥＤ素子の各々の駆動を独立して制御する制御機構を有する駆動部とを備え、
前記光源部を構成する前記複数種類のＬＥＤ素子は、少なくとも、１種類のＬＥＤ素子が波長２９０〜３２０ｎｍの範囲に発光中心波長を有し、他の１種類のＬＥＤ素子が波長３２０〜４００ｎｍの範囲に発光中心波長を有しており、
前記光源部を構成する前記複数種類のＬＥＤ素子において、発光中心波長が互いに近接する２種類のＬＥＤ素子の発光中心波長間隔が１０〜２０ｎｍであり、
前記光源部からの出射光が、人の皮膚における照射部位に照射されることを特徴とする。
【００１１】
また、本発明の紫外線感応度測定用紫外線照射器は、発光中心波長が互いに異なる複数種類のＬＥＤ素子を具備し、波長２９０〜３２０ｎｍの範囲の連続スペクトル光および波長３２０〜４００ｎｍの範囲の連続スペクトル光の少なくとも一方の連続スペクトル光を出射する光源部と、当該光源部を構成する当該複数種類のＬＥＤ素子の各々の駆動を独立して制御する制御機構を有する駆動部とを備え、
基準太陽光の相対エネルギー分布に対する、前記光源部からの出射光の相対エネルギー分布の比であるスペクトル合致度が、７５〜１２５％であり、
前記光源部からの出射光が、人の皮膚における照射部位に照射されることを特徴とする。
【００１２】
本発明の紫外線感応度測定用紫外線照射器においては、前記光源部から波長２９０〜４００ｎｍの範囲の連続スペクトル光が出射されることが好ましい。
【００１４】
本発明の紫外線感応度測定用紫外線照射器においては、前記光源部を構成する複数種類のＬＥＤ素子は、波長３１０ｎｍに発光中心波長を有するＬＥＤ素子、波長３２５ｎｍに発光中心波長を有するＬＥＤ素子、波長３４０ｎｍに発光中心波長を有するＬＥＤ素子、波長３５５ｎｍに発光中心波長を有するＬＥＤ素子、波長３６５ｎｍに発光中心波長を有するＬＥＤ素子、波長３７５ｎｍに発光中心波長を有するＬＥＤ素子、波長３８５ｎｍに発光中心波長を有するＬＥＤ素子および波長３９５ｎｍに発光中心波長を有するＬＥＤ素子の少なくとも８種類のＬＥＤ素子であることが好ましい。
【００１５】
本発明の紫外線感応度測定用紫外線照射器においては、前記制御機構は、前記光源部を構成する前記複数種類のＬＥＤ素子の各々の出力を独立に制御することによって当該光源部からの出射光の光強度を調整する出力制御機能を有していることが好ましい。
【００１６】
本発明の紫外線感応度測定用紫外線照射器においては、前記光源部は、給電線が絶縁材によって被覆されてなるフレキシブルケーブルにより、前記駆動部に対して可動自在に機械的および電気的に接続されていることが好ましい。
【００１７】
本発明の紫外線感応度測定用紫外線照射器においては、前記光源部の光出射方向前方に、紫外線遮断材料よりなり、当該光源部からの出射光の光路を包囲するように配置された光出射開口用枠状部材が設けられていることが好ましい。
このような構成の本発明の紫外線感応度測定用紫外線照射器においては、前記光出射開口用枠状部材に可視光透過性領域が形成されていることが好ましい。
【発明の効果】
【００１８】
本発明の紫外線感応度測定用紫外線照射器においては、光源部が、発光中心波長が互いに異なる複数種類のＬＥＤ素子を具備することによって波長２９０〜３２０ｎｍの範囲の連続スペクトル光および波長３２０〜４００ｎｍの範囲の連続スペクトル光の少なくとも一方の連続スペクトル光を出射するものとされている。また、駆動部が、光源部を構成する複数種類のＬＥＤ素子の各々の駆動を独立して制御する制御機構を有している。そのため、光源部からの出射光の相対エネルギー分布および光強度（放射照度）を容易に調整することができる。
従って、本発明の紫外線感応度測定用紫外線照射器によれば、紫外線感応度測定に必要とされる相対エネルギー分布および光強度の紫外線を、波長選択フィルタを用いることなく、光源部から出射させることができ、よって、紫外線感応度測定を高い信頼性によって行うことができ、また照射器自体を小型のものとすることができる。
【図面の簡単な説明】
【００１９】
【図１】本発明の紫外線感応度測定用紫外線照射器の構成の一例を示す説明図である。
【図２】図１の紫外線感応度測定用紫外線照射器の光源部における光源ユニットの構成を示す説明図である。
【図３】図１の紫外線感応度測定用紫外線照射器の光源部から、ＵＶＢ範囲モードにおいて出射される連続スペクトル光の分光放射照度（相対エネルギー分布）を、基準太陽光の分光放射照度（相対エネルギー分布）および点灯状態とされたＬＥＤ素子の放射光の放射照度スペクトルと共に示すスペクトル図である。
【図４】図１の紫外線感応度測定用紫外線照射器の光源部から、ＵＶＡ範囲モードにおいて出射される連続スペクトル光の分光放射照度（相対エネルギー分布）を、基準太陽光の分光放射照度（相対エネルギー分布）および点灯状態とされたＬＥＤ素子の放射光の放射照度スペクトルと共に示すスペクトル図である。
【図５】図１の紫外線感応度測定用紫外線照射器の光源部から、ＵＶＢ＋ＵＶＡ範囲モードにおいて出射される連続スペクトル光の分光放射照度（相対エネルギー分布）を、基準太陽光の分光放射照度（相対エネルギー分布）および点灯状態とされたＬＥＤ素子の放射光の放射照度スペクトルと共に示すスペクトル図である。
【図６】図１の紫外線感応度測定用紫外線照射器において、波長別モードにより、光源部を構成する８種類のＬＥＤ素子の１種類を選択的に点灯させることによって得られる当該光源部の出射光に係る放射照度スペクトルを示すスペクトル図である。
【図７】本発明の紫外線感応度測定用紫外線照射器の構成の他の例における光源部の要部を、照射面と共に示す説明図である。
【発明を実施するための形態】
【００２０】
以下、本発明の実施の形態について説明する。
図１は、本発明の紫外線感応度測定用紫外線照射器の構成の一例を示す説明図であり、図２は、図１の紫外線感応度測定用紫外線照射器の光源部における光源ユニットの構成を示す説明図である。
この紫外線感応度測定用紫外線照射器１０は、光線過敏症の検査に用いられるもの、具体的には、最少紅斑量（ＭＥＤ）、日光曝露許容時間および感応波長を判定するための紫外線感応度測定を行うためのものである。この紫外線感応度測定は、所定の波長あるいは所定の波長範囲の紫外線を、照射面Ｆ、具体的には人の皮膚上の任意の照射部位に対して、所定の照射量（積算照射量）となるように照射し、当該照射部位における、照射から一定時間経過後の紅斑の発生の有無を目視にて確認することによって実施されるものである。
【００２１】
紫外線感応度測定用紫外線照射器１０は、複数種類のＬＥＤ素子２７を具備する光源ユニット２５が筒状の支持部材２１によって支持された光源部２０と、光源部２０を構成する複数種類のＬＥＤ素子２７の各々の駆動を独立に制御する制御機構が直方体状の筐体３１の内部に収容された駆動部３０とを備えたものである。支持部材２１は、円筒状の小径部２２と、この小径部２２に連続し、当該小径部２２から離間するに従って径方向外方に湾曲した曲面を有する略四角筒状の大径部２３とを有するものである。この支持部材２１において、大径部側の端部には、正方形状の大径部側開口を閉塞するように光源ユニット２５が配設されており、一方、小径部側の端部においては、円形状の小径部側開口が、中央部にケーブル用貫通孔（図示省略）が形成された蓋部材２４によって閉塞されている。
そして、光源部２０は、蓋部材２４におけるケーブル用貫通孔から導出された、電線が絶縁材によって被覆されてなるフレキシブルケーブル１６により、駆動部３０に対して可動自在に機械的および電気的に接続されている。
光源部２０がフレキシブルケーブル１６によって可動自在に接続されていることにより、当該光源部２０を移動したり、配置状態を変更したりすることによって、光源部２０を構成する複数種類のＬＥＤ素子２７を、照射部位を臨む状態とすることができる。そのため、光源部２０からの出射光を、人の皮膚（照射面Ｆ）上における所期の照射部位に対して照射することができる。
この図の例において、支持部材２１の小径部２２は握り手として機能するものである。そして、紫外線感応度測定用紫外線照射器１０は、紫外線感応度測定に際して、片手で小径部２２を握って光源部２０を移動して所期の位置に配置することのできるハンディタイプのものである。
【００２２】
光源部２０は、発光中心波長が互いに異なる複数種類（この図の例においては、８種類）のＬＥＤ素子２７を有するものである。そして、この光源部２０は、複数種類のＬＥＤ素子２７のうちの１種類が点灯されることにより、当該１種類のＬＥＤ素子２７からの光が光源部２０から出射され、また２種類以上のＬＥＤ素子２７が選択的に同時に点灯されることにより、当該２種類以上のＬＥＤ素子２７からの光が、連続スペクトル光として光源部２０から出射されるものである。
【００２３】
この光源部２０を構成する複数種類のＬＥＤ素子２７は、少なくとも１種類のＬＥＤ素子２７が波長２９０〜３２０ｎｍの範囲（以下、「ＵＶＢ範囲」ともいう。）に発光中心波長を有し、少なくとも他の１種類のＬＥＤ素子２７が波長３２０〜４００ｎｍの範囲（以下、「ＵＶＡ範囲」ともいう。）に発光中心波長を有していることが好ましい。ここに、本明細書中において、光源部２０を構成する複数種類のＬＥＤ素子２７に波長３２０ｎｍに発光中心波長を有するＬＥＤ素子が含まれる場合において、その波長３２０ｎｍに発光中心波長を有するＬＥＤ素子は、ＵＶＢ範囲に発光中心波長を有するＬＥＤ素子とされる。すなわち、波長３２０ｎｍは、ＵＶＢ範囲に含まれる。また、光源部２０を構成する複数種類のＬＥＤ素子２７において、発光中心波長が互いに近接する２種類のＬＥＤ素子２７の発光中心波長間隔が１０〜２０ｎｍであることが好ましい。
光源部２０を構成する複数種類のＬＥＤ素子２７が、ＵＶＢ範囲に発光中心波長を有するＬＥＤ素子２７とＵＶＡ範囲に発光中心波長を有するＬＥＤ素子２７を含み、かつ、発光中心波長が互いに近接する２種類のＬＥＤ素子２７の発光中心波長間隔が１０〜２０ｎｍであることにより、紫外線感応度測定用紫外線照射器１０の利用性が大きくなり、また信頼性のより高い紫外線感応度測定を行うことができる。
具体的に説明すると、光源部２０は、ＵＶＢ範囲の連続スペクトル光、ＵＶＡ範囲の連続スペクトル光、および波長２９０〜４００ｎｍの範囲（以下、「ＵＶＢ＋ＵＶＡ範囲」ともいう。）の連続スペクトル光の３種類の連続スペクトル光、並びに、ＵＶＢ＋ＵＶＡ範囲における波長の異なる複数種類の紫外線（具体的には、光源部２０を構成する複数種類のＬＥＤ素子２７の各々に係る紫外線）を出射することのできるものとなる。そのため、紫外線感応度測定用紫外線照射器１０は、ＵＶＢ範囲の紫外線またはＵＶＡ範囲の紫外線を利用する最少紅斑量を判定するための紫外線感応度測定、ＵＶＢ＋ＵＶＡ範囲の紫外線を利用する日光曝露許容時間を判定するための紫外線感応度測定、並びにＵＶＢ＋ＵＶＡ範囲における波長の異なる複数種類の紫外線を利用する感度波長を判定するための紫外線感応度測定に好適に用いることのできるものとなる。
しかも、光源部２０から出射される３種類の連続スペクトル光を、基準太陽光における対応波長範囲（具体的には、ＵＶＢ範囲、ＵＶＡ範囲またはＵＶＢ＋ＵＶＡ範囲）の相対エネルギー分布に近似した相対エネルギー分布を有するものとすることができる。そのため、最少紅斑量を判定するための紫外線感応度測定、および、日光曝露許容時間を判定するための紫外線感応度測定を、高い精度で行うことができる。
また、ＵＶＢ＋ＵＶＡ範囲において、波長の異なる複数種類の紫外線を、略等波長間隔、かつ短波長間隔で出射させることができる。そのため、複数種類の紫外線に係る紫外線感応度測定結果に基づいて、ＵＶＢ＋ＵＶＡ範囲における感度波長を正確に判定することができる。
【００２４】
光源部２０を構成する複数種類のＬＥＤ素子２７の好ましい具体例としては、波長３１０ｎｍに発光中心波長を有するＬＥＤ素子、波長３２５ｎｍに発光中心波長を有するＬＥＤ素子、波長３４０ｎｍに発光中心波長を有するＬＥＤ素子、波長３５５ｎｍに発光中心波長を有するＬＥＤ素子、波長３６５ｎｍに発光中心波長を有するＬＥＤ素子、波長３７５ｎｍに発光中心波長を有するＬＥＤ素子、波長３８５ｎｍに発光中心波長を有するＬＥＤ素子および波長３９５ｎｍに発光中心波長を有するＬＥＤ素子の少なくとも８種類のＬＥＤ素子が挙げられる。
光源部２０を構成する複数種類のＬＥＤ素子２７として上記の８種類のＬＥＤ素子を用いることにより、光源部２０からの出射光として、太陽光に極めて近似した連続スペクトル光、具体的には、基準太陽光における対応波長範囲の相対エネルギー分布に対する、当該光源部２０からの出射光の相対エネルギー分布の比であるスペクトル合致度が７５〜１２５％である連続スペクトル光を得ることができる。そのため、最少紅斑量を判定するための紫外線感応度測定、および、日光曝露許容時間を判定するための紫外線感応度測定を、より高い精度で行うことができる。
また、ＵＶＢ＋ＵＶＡ範囲において、波長の異なる複数種類の紫外線（具体的には、光源部２０を構成する８種類のＬＥＤ素子の各々に係る紫外線）を、短波長間隔、具体的には１０〜１５ｎｍの略等波長間隔で出射させることができる。そのため、複数種類の紫外線に係る紫外線感応度測定結果に基づいて、ＵＶＢ＋ＵＶＡ範囲における感度波長をより正確に判定することができる。
この図の例において、光源部２０を構成する８種類のＬＥＤ素子２７としては、波長３１０ｎｍに発光中心波長を有するＬＥＤ素子、波長３２５ｎｍに発光中心波長を有するＬＥＤ素子、波長３４０ｎｍに発光中心波長を有するＬＥＤ素子、波長３５５ｎｍに発光中心波長を有するＬＥＤ素子、波長３６５ｎｍに発光中心波長を有するＬＥＤ素子、波長３７５ｎｍに発光中心波長を有するＬＥＤ素子、波長３８５ｎｍに発光中心波長を有するＬＥＤ素子および波長３９５ｎｍに発光中心波長を有するＬＥＤ素子（以下、これらをまとめて「特定８種類ＬＥＤ素子」ともいう。）が用いられている。
【００２５】
また、光源部２０は、分光放射照度可変性の観点から、同一種類のＬＥＤ素子を複数備えたものであることが好ましい。
この図の例において、光源部２０は、８種類のＬＥＤ素子２７を２個ずつ有するものである。すなわち、光源部２０を構成するＬＥＤ素子２７の個数は、１６個である。
【００２６】
具体的に、光源部２０は、複数種類のＬＥＤ素子２７が、正方形平板状の基板２６上に、当該基板２６の外周縁に沿って縦横に並ぶよう配置されてなる光源ユニット２５を備えている。この光源ユニット２５において、基板２６は、支持部材２１における大径部側の端部の外径と同等の縦横寸法を有している。
そして、光源ユニット２５は、支持部材２１における大径部側の端部において、固定部材（図示省略）によって支持固定されることにより、当該光源ユニット２５を構成する複数種類のＬＥＤ素子２７が支持部材２１の筒軸方向外方（図１における下方）を臨むようにして、支持部材２１の筒軸に垂直な状態に配置されている。この光源ユニット２５には、フレキシブルケーブル１６が電気的に接続されている。また、光源ユニット２５の前方（図１における下方）には、光源ユニット２５からの光を集光するための集光光学系が設けられている。この集光光学系は、入射光を擬似平行化する平行化用凸レンズ２８Ａと、入射光を集光する集光用凸レンズ２８Ｂとよりなり、平行化用凸レンズ２８Ａがより光源ユニット２５に近接して並設されたものである。すなわち、平行化用凸レンズ２８Ａが、光源ユニット２５と集光用凸レンズ２８Ｂとの間に配置されている。この平行化用凸レンズ２８Ａおよび集光用凸レンズ２８Ｂは、各々、固定部材（図示省略）によって支持されて基板２６に固定されている。
このようにして、光源部２０は、光源ユニット２５からの光を、集光光学系（平行化用凸レンズ２８Ａおよび集光用凸レンズ２８Ｂ）により集光して出射する構成のものとされている。
図１においては、光源ユニット２５からの光が照射面Ｆ（人の皮膚）に至るまでの光路が一点鎖線によって示されている。
【００２７】
光源ユニット２５において、複数種類のＬＥＤ素子２７は、図２に示されているように、基板２６上に、所定の間隔、具体的には所定の大きさのピッチ（中心間距離）で縦横に並んで格子状に配置されていることが好ましい。
また、この図の例のように、同一種類のＬＥＤ素子２７を複数備えたものである場合には、製造容易性の観点、具体的には配線設計の便宜上、同一種類のＬＥＤ素子２７同士を互いに隣接するように配置することが好ましい。
この図の例において、光源部２０を構成する８種類１６個のＬＥＤ素子２７は、基板２６の外周縁に沿って、等間隔で格子状（縦４行横４行）に配列されている。そして、同一種類の複数（２個）のＬＥＤ素子２７は、横方向（図２における左右方向）に並列して配置されている。
【００２８】
光源部２０を構成する複数種類のＬＥＤ素子２７としては、各ＬＥＤ素子２７に必要とされる放射光の波長範囲に応じ、ＩｎＧａＮ系半導体よりなるＬＥＤ素子、およびＡｌＧａＮ系半導体よりなるＬＥＤ素子などが適宜に用いられる。
この図の例において、波長３１０ｎｍに発光中心波長を有するＬＥＤ素子、波長３２５ｎｍに発光中心波長を有するＬＥＤ素子、波長３４０ｎｍに発光中心波長を有するＬＥＤ素子および波長３５５ｎｍに発光中心波長を有するＬＥＤ素子としては、各々、出力が２０ｍＷであって、縦横寸法が３．５ｍｍの正方形状のＡｌＧａＮ系半導体よりなる表面実装型ＬＥＤ素子が用いられている。また、波長３６５ｎｍに発光中心波長を有するＬＥＤ素子、波長３７５ｎｍに発光中心波長を有するＬＥＤ素子、波長３８５ｎｍに発光中心波長を有するＬＥＤ素子および波長３９５ｎｍに発光中心波長を有するＬＥＤ素子としては、各々、出力が２０ｍＷであって、縦横寸法が３．５ｍｍの正方形状のＩｎＧａＮ系半導体よりなる表面実装型ＬＥＤ素子が用いられている。
【００２９】
集光光学系を構成する平行化用凸レンズ２８Ａおよび集光用凸レンズ２８Ｂは、各々、基板２６上のＬＥＤ素子配置領域以上の大きさを有するものとされており、当該ＬＥＤ素子配置領域全域に対向するように配置されている。
この図の例において、平行化用凸レンズ２８Ａは、光源ユニット２５における各ＬＥＤ素子２７に対応する正方形状の領域に、各ＬＥＤ素子２７の縦横寸法と同等の縦横寸法を有する正方形状凸部が形成されたものである。
【００３０】
駆動部３０は、光源部２０を構成する複数種類のＬＥＤ素子２７の各々の駆動を独立に制御する制御機構を有するものである。この制御機構は、光源部２０を構成する複数種類のＬＥＤ素子２７の各々を独立にＯＮ−ＯＦＦ制御する種類別ＯＮ−ＯＦＦ制御機能を有するものであることが好ましい。
制御機構が種類別ＯＮ−ＯＦＦ制御機能を有するものであることにより、光源部２０において、実施する紫外線感応度測定に応じた所期の紫外線を出射させることができる。
この図の例において、駆動部３０の制御機構は、光源部２０を構成する特定８種類ＬＥＤ素子の各々を独立にＯＮ−ＯＦＦ制御する種類別ＯＮ−ＯＦＦ制御機能を有しており、実施する紫外線感応度測定に応じて、特定８種類ＬＥＤ素子の全部を点灯すること、および特定８種類ＬＥＤ素子の１種類または２種類以上を選択的に点灯することができる。
ここに、制御機構により、特定８種類ＬＥＤ素子の全部を点灯すること（以下、「ＵＶＢ＋ＵＶＡ範囲モード」ともいう。）によれば、光源部２０からの出射光として、ＵＶＢ＋ＵＶＡ範囲の連続スペクトル光が得られる。また、特定８種類ＬＥＤ素子のうちの、波長３１０ｎｍに発光中心波長を有するＬＥＤ素子および波長３２５ｎｍに発光中心波長を有するＬＥＤ素子の２種類のＬＥＤ素子を同時に点灯させること（以下、「ＵＶＢ範囲モード」ともいう。）によれば、光源部２０からの出射光として、ＵＶＢ範囲の連続スペクトル光が得られる。また、特定８種類ＬＥＤ素子のうちの、波長３２５ｎｍに発光中心波長を有するＬＥＤ素子、波長３４０ｎｍに発光中心波長を有するＬＥＤ素子、波長３５５ｎｍに発光中心波長を有するＬＥＤ素子、波長３６５ｎｍに発光中心波長を有するＬＥＤ素子、波長３７５ｎｍに発光中心波長を有するＬＥＤ素子、波長３８５ｎｍに発光中心波長を有するＬＥＤ素子および波長３９５ｎｍに発光中心波長を有するＬＥＤ素子の７種類のＬＥＤ素子を同時に点灯させること（以下、「ＵＶＡ範囲モード」ともいう。）によれば、光源部２０からの出射光として、ＵＶＡ範囲の連続スペクトル光が得られる。また、特定８種類ＬＥＤ素子のうちの１種類のＬＥＤ素子を点灯させること（以下、「波長別モード」ともいう。）によれば、光源部２０からの出射光として、当該１種類のＬＥＤ素子の放射光に係るスペクトルを有する紫外線が得られる。
【００３１】
また、制御機構は、光源部２０を構成する複数種類のＬＥＤ素子２７の各々の出力を独立に制御することによって光源部２０からの出射光の光強度（放射照度）を調整する種類別出力制御機能を有するものであることが好ましい。
制御機構が種類別出力制御機能を有するものであることにより、光源部２０において、実施する紫外線感応度測定に応じた所期の光強度の紫外線を出射させることができる。
この図の例において、駆動部３０の制御機構は、光源部２０を構成する特定８種類ＬＥＤ素子の各々の出力を独立に制御して光源部２０からの出射光の光強度を調整する種類別出力制御機能を有しており、実施する紫外線感応度測定に応じて、光源部２０からの出射光の光強度を大きな可変幅によって可変させることができる。具体的には、光源部２０からの出射光において、当該出射光の光強度を、最大値が最小値の１００倍程度となるように可変することができる。
【００３２】
駆動部３０は、筐体３１の内部に、外部電源１９に電気的に接続される電源ユニット３３と、光源部２０を構成する複数種類のＬＥＤ素子２７の各々に電気的に接続された複数（この図の例においては、８個）のＬＥＤ素子駆動ユニット３４と、制御ユニット３５とを備えたものである。制御ユニット３５は、種類別ＯＮ−ＯＦＦ制御手段と種類別出力制御手段とを有しており、電源ユニット３３および複数のＬＥＤ素子駆動ユニット３４の各々と電気的に接続されている。この駆動部３０において、制御機構は、複数のＬＥＤ素子駆動ユニット３４と制御ユニット３５とによって構成されている。
また、筐体３１の内部には、紫外線感応度測定条件に応じたＬＥＤ素子制御情報が記録された情報記録ユニット３６と、照射器操作者が紫外線感応度測定条件を入力するためのグラフィック操作パネルを供えた入力ユニット３７と、当該グラフィック操作パネルによって入力された紫外線感応度測定条件を表示するための表示パネルを供えた表示ユニット３８とが設けられている。ここに、「紫外線感応測定条件に応じたＬＥＤ素子制御情報」としては、例えば、実施する紫外線感応度測定の種類に応じた駆動ＬＥＤ素子選択情報（モード選択情報）、並びに、日光曝露許容時間を判定するための紫外線感応度測定を行う場合に必要とされる、季節（夏、冬）、時間帯（朝、昼、夜）、天気（晴、曇り、雨）、地域（北、南）および標高（低地、高地）などの紫外線量変動要因に応じた紫外線量情報などが挙げられる。情報記録ユニット３６は、制御ユニット３５に電気的に接続されており、また、入力ユニット３７と表示ユニット３８とは、各々、電源ユニット３３と制御ユニット３５とに電気的に接続されている。また、筐体３１の側面には、グラフィック操作パネルと表示パネルとが配設されている。
この図の例において、外部電源１９としては、商用電源が用いられる。
【００３３】
また、紫外線感応度測定用紫外線照射器１０においては、図１に示されているように、光源部２０の光出射方向前方に、紫外線遮断材料よりなり、光源部２０からの出射光の光路を包囲するように配置された光出射開口用枠状部材４１が設けられていることが好ましい。この光出射開口用枠状部材４１は、光入射側（図１における上側）において基板２６の縦横寸法と同等の縦横寸法の内径を有する略正方形筒状のものとされている。
光出射開口用枠状部材４１が設けられていることにより、照射部位と光源部２０（集光光学系）との離間距離、すなわち照射距離を、測定毎に変動させることなく、常に一定とすることができる。その結果、信頼性の高い紫外線感応度測定を安定的に行うことができる。
また、光出射開口用枠状部材４１が紫外線遮断材料よりなるものであることから、光源部２０からの出射光が光出射開口用枠状部材４１の光出射口４２を介することなく照射器外部に出射されることを防止できると共に、当該光出射開口用枠状部材４１を、照射領域制御機能を有するものとすることができる。
この図の例において、光出射開口用枠状部材４１は、支持部材２１の筒軸に沿って伸びる筒状部４１Ａと、この筒状部４１Ａの光出射側（図１における下側）の端部から内方に突出し、当該筒状部４１Ａに垂直に伸びる鍔部４１Ｂとを有しており、この鍔部４１Ｂの先端縁によって光出射口４２の開口縁が構成されたものである。このように、光出射開口用枠状部材４１は、鍔部４１Ｂを有するものであることによって照射領域制御機能を有するものとされている。そして、照射面Ｆ（人の皮膚）における照射領域は、縦横寸法が１０ｍｍの正方形とされている。
【００３４】
また、光出射開口用枠状部材４１には、可視光透過性領域が形成されていることが好ましい。
光出射開口用枠状部材４１に可視光透過性領域が形成されていることにより、当該可視光透過性領域を介して当該光出射開口用枠状部材４１の内側を視認することができるため、照射部位を目視によって確認することができ、よって、光源部２０からの出射光を人の皮膚（照射面Ｆ）上における所期の照射部位に確実に照射することができる。
この図の例の例において、光出射開口用枠状部材４１は、可視光透過性を有するものとされている。すなわち、光出射開口用枠状部材４１の全体が可視光透過性領域とされている。
【００３５】
また、光出射開口用枠状部材４１は、人の皮膚に直接接触するものであるため、衛生面の観点から、交換自在に設けられていることが好ましい。
この図の例において、光出射開口用枠状部材４１は、嵌合ツメ部（図示省略）を有する嵌合機構を介して支持部材２１に嵌脱自在に設けられている。
【００３６】
光出射開口用枠状部材４１を構成する紫外線遮断材料としては、例えば紫外線吸収剤が添加されたポリエチレンテレフタラート（ＰＥＴ）樹脂などが挙げられる。
【００３７】
また、紫外線感応度測定用紫外線照射器１０には、光源ユニット２５の前方に、波長３２０ｎｍ以下の光をカットするロングパスフィルタ（以下、「特定ロングパスフィルタ」ともいう。）が着脱自在に設けられていることが好ましい。
特定ロングパスフィルタが着脱自在に設けられていることにより、照射部位に対して、ＵＶＡ範囲モードによって光源部２０からの出射光を照射する場合において、当該照射部位に、ＵＶＡ範囲以外の波長範囲の紫外線、具体的にはＵＶＢ範囲の紫外線が照射されることを防止できる。その結果、ＵＶＡ範囲の紫外線に係る最少紅斑量を判定するための紫外線感応度測定を、より高い精度で行うことができる。なお、照射部位に対して、ＵＶＢ範囲モードによって光源部２０からの出射光を照射する場合においては、当該照射部位に、ＵＶＡ範囲の紫外線が照射されていても、ＵＶＢ範囲に係る最少紅斑量を判定するための紫外線感応度測定を高い精度で行うことができる。すなわち、照射部位に対して、ＵＶＢ範囲モードによって光源部２０からの出射光を照射する場合においては、当該照射部位に対して、ＵＶＢ範囲以外の波長範囲の紫外線、具体的にはＵＶＡ範囲の紫外線が照射されていてもよい。
特定ロングパスフィルタとしては、例えば、Schott社製のフィルターガラス（吸収型）「ＵＶ  Ｎ−ＷＧ３２０」などが用いられる。
この図の例においては、特定ロングパスフィルタが、平行化用凸レンズ２８Ａと集光用凸レンズ２８Ｂとの間において着脱自在に設けられている。
【００３８】
このような紫外線感応度測定用紫外線照射器１０は、光源部２０を、光源ユニット２５（複数種類のＬＥＤ素子２７）が集光光学系（具体的には、平行化用凸レンズ２８Ａおよび集光用凸レンズ２８Ｂ）を介して照射部位と対向するようにして、当該照射部位から離間して配置する。そして、光源部２０においては、駆動部３０から電力が供給されたＬＥＤ素子２７が点灯され、照射部位に対して、当該光源部２０からの出射光が照射（面照射）される。
【００３９】
而して、紫外線感応度測定用紫外線照射器１０においては、光源部２０が、発光中心波長が互いに異なる８種類のＬＥＤ素子２７、具体的には特定８種類ＬＥＤ素子を具備することによって、３種類の連続スペクトル光（具体的には、ＵＶＢ範囲の連続スペクトル光、ＵＶＡ範囲の連続スペクトル光およびＵＶＢ＋ＵＶＡ範囲の連続スペクトル光）を出射するものとされている。また、駆動部３０が、光源部２０を構成する８種類のＬＥＤ素子２７の各々を独立に制御する制御機構を有しており、当該制御機構が、種類別ＯＮ−ＯＦＦ制御機能および種類別出力制御機能を有するものとされている。そのため、駆動部３０により、光源部２０からの出射光の相対エネルギー分布および出力（光強度）を容易に調整することができ、よってＵＶＢ範囲モード、ＵＶＡ範囲モード、ＵＶＢ＋ＵＶＡ範囲モードおよび波長別モードにおいて、各々、所期の紫外線を得ることができる。具体的に、ＵＶＢ範囲モードにおいては、ＵＶＢ範囲の連続スペクトル光として、図３に示すような相対エネルギー分布（分光放射照度）を有する紫外線が得られ、ＵＶＡ範囲モードにおいては、ＵＶＡ範囲の連続スペクトル光として、図４に示すような相対エネルギー分布（分光放射照度）を有する紫外線が得られ、また、ＵＶＢ＋ＵＶＡ範囲モードにおいては、ＵＶＢ＋ＵＶＡ範囲の連続スペクトル光として、図５に示すような相対エネルギー分布（分光放射照度）を有する紫外線が得られる。このＵＶＢ＋ＵＶＡ範囲の連続スペクトル光は、基準太陽光における対応波長範囲（ＵＶＢ＋ＵＶＡ範囲）の相対エネルギー分布（分光放射照度（ＪＩＳ  Ｃ  ８９０４−３：２０１１））に対する、当該連続スペクトル光の相対エネルギー分布の比であるスペクトル合致度が１０２％である。また、波長別モードにおいては、光源部２０を構成する８種類のＬＥＤ素子２７の１種類を選択的に点灯させることにより、光源部２０から、図６において曲線（ａ）〜曲線（ｈ）によって示すような放射照度スペクトルを有する紫外線を出射させることができる。
図３〜図５においては、基準太陽光の分光放射照度（相対エネルギー分布）が破線によって示されており、また連続スペクトル光の分光放射照度（相対エネルギー分布）が実線によって示されている。また、図３〜図６において、曲線（ａ）は、波長３１０ｎｍに発光中心波長を有するＬＥＤ素子の放射光の放射照度スペクトルを示し、曲線（ｂ）は、波長３２５ｎｍに発光中心波長を有するＬＥＤ素子の放射光の放射照度スペクトルを示し、曲線（ｃ）は、波長３４０ｎｍに発光中心波長を有するＬＥＤ素子の放射光の放射照度スペクトルを示し、曲線（ｄ）は、波長３５５ｎｍに発光中心波長を有するＬＥＤ素子の放射光の放射照度スペクトルを示し、曲線（ｅ）は、波長３６５ｎｍに発光中心波長を有するＬＥＤ素子の放射光の放射照度スペクトルを示し、曲線（ｆ）は、波長３７５ｎｍに発光中心波長を有するＬＥＤ素子の放射光の放射照度スペクトルを示し、曲線（ｇ）は、波長３８５ｎｍに発光中心波長を有するＬＥＤ素子の放射光の放射照度スペクトルを示し、曲線（ｈ）は、波長３９５ｎｍに発光中心波長を有するＬＥＤ素子の放射光の放射照度スペクトルを示す。
従って、紫外線感応度測定用紫外線照射器１０によれば、紫外線感応度測定に必要とされる相対エネルギー分布および光強度（放射照度）の光を、必ずしも波長選択フィルタを用いることなく、光源部２０から出射させることができ、よって、紫外線感応度測定を高い信頼性によって行うことができ、また照射器自体を小型のものとすることができる。
【００４０】
また、紫外線感応度測定用紫外線照射器１０においては、光源部２０がフレキシブルケーブル１６によって駆動部３０に対して可動自在に機械的および電気的に接続されていることから、光源部２０からの出射光を、人の皮膚（照射面Ｆ）上の所期の照射部位に対して照射することができる。
【００４１】
また、紫外線感応度測定用紫外線照射器１０においては、光出射開口用枠状部材４１が設けられていることから、照射部位と光源部２０（集光光学系）との離間距離（照射距離）を、測定毎に変動させることなく、常に一定とすることができる。また、光源部２０からの出射光が光出射開口用枠状部材４１の光出射口４２を介することなく照射器外部に出射されることを防止できると共に、照射領域を常に所期の形状寸法とすることができる。そのため、信頼性の高い紫外線感応度測定を、安定的にかつ安全に行うことができる。
しかも、光出射開口用枠状部材４１が可視光透過性を有するものであることから、光出射開口用枠状部材４１の内側を視認することができるため、光源部２０からの出射光を人の皮膚上における所期の照射部位に確実に照射することができる。
【００４２】
この紫外線感応度測定用紫外線照射器１０によれば、光線過敏症に係る下記の（１）〜（４）の検査項目の判定をするための紫外線感応度測定を行うことができる。
【００４３】
（１）ＵＶＢ範囲の紫外線に係る最少紅斑量
（２）ＵＶＡ範囲の紫外線に係る最少紅斑量
（３）季節（夏、冬）、時間帯（朝、昼、夜）、天気（晴、曇り、雨）、地域（北、南）および標高（低地、高地）などの紫外線量変動要因に応じた日光曝露許容時間（定量値）
（４）ＵＶＢ＋ＵＶＡ範囲における感応波長
【００４４】
以下、紫外線感応度測定用紫外線照射器１０を用いて上記の（１）〜（４）の検査項目の判定をするための具体的な手法について説明する。
【００４５】
ＵＶＢ範囲の紫外線に係る最少紅斑量の判定は、ＵＶＢ範囲モードによって行われる。
先ず、紫外線感応度測定用紫外線照射器１０により、人の皮膚上における皮疹のない任意の１０箇所の照射部位に対して、照射量（積算照射量）が、１０ｍＪ／ｃｍ2 、２０ｍＪ／ｃｍ2 、３０ｍＪ／ｃｍ2 、４０ｍＪ／ｃｍ2 、５０ｍＪ／ｃｍ2 、６０ｍＪ／ｃｍ2 、８０ｍＪ／ｃｍ2 、１００ｍＪ／ｃｍ2 、１２０ｍＪ／ｃｍ2 および１６０ｍＪ／ｃｍ2 となる条件により、光源部２０からの出射光を照射する。次いで、照射から２４時間経過後に、１０箇所の照射部位における紅斑の発生の有無を目視にて確認する。そして、紅斑が発生した最も小さな照射量を最少紅斑量とする。
このようにして得られた最少紅斑量に基づいて、最少紅斑量が５０ｍＪ／ｃｍ2 以下である場合、すなわち照射量が５０ｍＪ／ｃｍ2 以下の照射部位において紅斑の発生が確認された場合には、ＵＶＢ範囲の紫外線に対して過敏であると判断する。
【００４６】
ＵＶＡ範囲の紫外線に係る最少紅斑量の判定は、ＵＶＡ範囲モードによって行われる。
先ず、紫外線感応度測定用紫外線照射器１０により、人の皮膚上における皮疹のない任意の３箇所の照射部位に対して、照射量（積算照射量）が、３Ｊ／ｃｍ2 、６Ｊ／ｃｍ2 および９Ｊ／ｃｍ2 となる条件により、光源部２０からの出射光を照射する。次いで、照射から２４時間経過後、４８時間経過後および７２時間経過後に、３箇所の照射部位における紅斑の発生の有無を目視にて確認する。そして、紅斑が発生した最も小さな照射量を最少紅斑量とする。
このようにして得られた最少紅斑量に基づいて、最少紅斑量が３Ｊ／ｃｍ2 以下である場合、すなわち３箇所の照射部位のいずれかにおいて紅斑の発生が確認された場合には、ＵＶＡ範囲の紫外線に対して過敏であると判断する。
【００４７】
季節（夏、冬）、時間帯（朝、昼、夜）、天気（晴、曇り、雨）、地域（北、南）および標高（低地、高地）などの紫外線量変動要因に応じた日光曝露許容時間の判定は、ＵＶＢ＋ＵＶＡ範囲モードによって行われる。
先ず、紫外線感応度測定用紫外線照射器１０により、人の皮膚上における皮疹のない任意の複数個所の照射部位に対して、紫外線量変動要因に応じた照射量（積算照射量）となる条件により、光源部２０からの出射光を照射する。具体的には、例えば、紫外線感応度測定用紫外線照射器１０により、光源部２０からの出射光を、３箇所の照射部位に対して、東京の夏の昼間における、晴れ、曇りおよび雨の３つの天気下の１時間分の照射量（積算照射量）となる条件によって照射する。次いで、照射から一定時間経過後に、３箇所の照射部位における紅斑の発生の有無を目視にて確認する。そして、紅斑の発生が確認されなかった照射部位に係る条件においては、日光曝露許容時間が１時間であると判定する。
また、照射部位に対してサンスクリーン剤を塗布することによって上記の手法によって日光曝露許容時間の判定を行うことによれば、サンスクリーン剤を塗布した場合の日光曝露許容時間を把握することができる。
【００４８】
ＵＶＢ＋ＵＶＡ範囲における感応波長の判定は、波長別モードによって行われる。
先ず、紫外線感応度測定用紫外線照射器１０により、人の皮膚上における皮疹のない任意の８箇所の照射部位に対して、所定の照射量（積算照射量）となる条件により、光源部からの出射光（８種類の紫外線）を照射する。次いで、照射から一定時間経過後に、８箇所の照射部位における紅斑の発生の有無を目視にて確認する。そして、紅斑の発生が確認された照射部位に係る波長の紫外線に対して感応性があると判定する。
【００４９】
本発明においては、上記の実施の形態に限定されず、種々の変更を加えることが可能である。
例えば、光源部は、紫外線感応度測定用紫外線照射器の利用性の観点からは、３種類の連続スペクトル光（具体的には、ＵＶＢ範囲の連続スペクトル光、ＵＶＡ範囲の連続スペクトル光およびＵＶＢ＋ＵＶＡ範囲の連続スペクトル光）とＵＶＢ＋ＵＶＡ範囲における波長の異なる複数種類の紫外線を出射することのできるものであることが好ましいが、ＵＶＢ範囲の連続スペクトル光およびＵＶＡ範囲の連続スペクトル光の少なくとも一方の連続スペクトル光を出射するものであればよい。
また、本発明の紫外線感応度測定用紫外線照射器は、光源部と駆動部とを備えたものであればよく、光源部の構成および駆動部の構成は、各々、図１および図２に示した構成に限定されず、また、光源部および駆動部以外の構成部材としては種々のものを用いることができる。
具体的には、図７に示すように、光源部において、集光光学系は、光源ユニット２５を構成する複数のＬＥＤ素子２７の各々に対向するように設けられた平行化用凸レンズ２９と、当該平行化用凸レンズ２９を介して複数のＬＥＤ素子２７に対向するように設けられた集光用凸レンズ２８Ｂとにより構成されたものであってもよい。
図７においては、ＬＥＤ素子２７からの放射光が照射面Ｆ（人の皮膚）に至るまでの光路が一点鎖線によって示されている。
【符号の説明】
【００５０】
１０    紫外線感応度測定用紫外線照射器
１６    フレキシブルケーブル
１９    外部電源
２０    光源部
２１    支持部材
２２    小径部
２３    大径部
２４    蓋部材
２５    光源ユニット
２６    基板
２７    ＬＥＤ素子
２８Ａ    平行化用凸レンズ
２８Ｂ    集光用凸レンズ
２９    平行化用凸レンズ
３０    駆動部
３１    筐体
３３    電源ユニット
３４    ＬＥＤ素子駆動ユニット
３５    制御ユニット
３６    情報記録ユニット
３７    入力ユニット
３８    表示ユニット
４１    光出射開口用枠状部材
４１Ａ    筒状部
４１Ｂ    鍔部
４２    光出射口
Ｆ    照射面
【図１】
0006709439.tif 000002
【図２】
0006709439.tif 000003
【図３】
0006709439.tif 000004
【図４】
0006709439.tif 000005
【図５】
0006709439.tif 000006
【図６】
0006709439.tif 000007
【図７】
0006709439.tif 000008